(57)【要約】      （修正有）【課題】模型と動画を組み合わせることにより、ユーザに当該動画の内容への理解を容易に深めさせることが可能なブック型の動画再生装置を提供する。【解決手段】模型１０３の所定の位置に配置された点灯部１０４と、当該模型１０３に関係する内容の動画を表示する表示部１０６と、所定のキー１０５とを備えたブック型の動画再生装置１００であって、ユーザにより前記キー１０５が押下されると、当該キー１０５に予め関連付けられた動画を前記表示部１０６で再生する再生制御手段３０１と、前記キー１０５の押下に対応して、前記再生された動画の内容に関係する模型１０３の所定の位置に配置された点灯部１０４を点灯させる点灯制御手段３０３とを備えることを特徴とする。【選択図】図３
0003178367.tif 000002
【実用新案登録請求の範囲】
【請求項１】
模型の所定の位置に配置された点灯部と、当該模型に関係する内容の動画を表示する表示部と、所定のキーとを備えたブック型の動画再生装置であって、
ユーザにより前記キーが押下されると、当該キーに予め関連付けられた動画を前記表示部で再生する再生制御手段と、
前記キーの押下に対応して、前記再生された動画の内容に関係する模型の所定の位置に配置された点灯部を点灯させる点灯制御手段と
を備えることを特徴とする動画再生装置。
【請求項２】
前記点灯制御手段は、前記押下されるキーの種類又は前記表示される動画の種類に応じて、前記点灯部の点灯形態を変更させる
請求項１に記載の動画再生装置。
【考案の詳細な説明】
【技術分野】
【０００１】
本考案は、動画再生装置に関し、詳しくは、模型と動画を組み合わせることにより、ユーザに当該動画の内容への理解を容易に深めさせることが可能なブック型の動画再生装置に関する。
【背景技術】
【０００２】
従来より、医療分野において、ユーザがその知識の理解を深めるために模型を利用した技術が検討されてきている。
【０００３】
例えば、実用新案登録第２５８６８８２号公報（特許文献１）には、多数の小孔を穿設した臓器模型と、該模型の小孔と対応した多数のセルを有する表示部とを光ファイバーにより接続すると共に、該表示部にシミュレーション信号を発信する発信制御部を連結したことを特徴とする臓器のシミュレーション装置が開示されている。これにより、例えば、心臓が拍動する因子となっている興奮の伝播状態を３次元で表示することが可能となり、興奮状態をより理解し易くすることが出来るとしている。
【０００４】
又、特開平８−１９０３４１号公報（特許文献２）には、立体状あるいは平面状の心臓模型（１）の、心臓刺激伝導路（２）に概相当する位置に、複数の発光手段もしくは液晶表示手段を配列したことを特徴とする、心臓刺激伝導様式表示模型が開示されている。前記液晶表示手段は、心臓刺激伝導様式に概相関した順序および速度で順次点灯もしくは点滅するよう構成される。そして、心電図の所定箇所に配置した発光手段もしくは液晶表示手段を有し、心電図波形を模式的に示すように構成した、心電図波形表示部（３）を、併せ備えることを特徴とする。これにより、時間的・動的要因を含む、心臓刺激伝導様式を、正確に説明あるいは理解することが飛躍的に容易になるとしている。
【０００５】
又、特開２００７−１６００８８号公報（特許文献３）には、人体模型と、制御ユニットとを含む、治療ポイントを表示するための人体模型装置が開示されている。前記人体模型装置は、前記人体模型は全身神経図を有し、該全身神経図は複数の痛感ポイント及び複数の対応する治療ポイントを有し、前記痛感ポイントのそれぞれは前記人体模型に取り付けられた入力ユニットを有し、前記対応する治療ポイントのそれぞれは表示ユニットを有する。そして、前記表示ユニットは、前記人体模型に取り付けられ、少なくとも１個の入力ユニットに接続され、前記制御ユニットは、前記入力ユニット及び表示ユニットに接続され、かつ、データベースを有し、該データベースは痛感ポイントに対応する治療ポイントを提供する。これにより、ユーザは、対応する治療ポイントを容易に見つけることができるとしている。
【０００６】
又、特開２０１１−１４１４０２号公報（特許文献４）には、胸部および／または腹部の所定位置に磁気を感知する磁気センサが埋設されるとともに光を発する発光部を具える中空の上半身人体模型と、内部に磁石、押圧力を感知する感圧センサ、回転角度を検出するジャイロセンサ、光を感知する受光部および傾斜角度を検出する３軸センサを具える擬似プローブとを備える超音波診断教育用シミュレーション装置が開示されている。前記超音波診断教育用シミュレーション装置は、更に、心エコーおよび／または腹部エコーの平面実画像データを記憶する記憶部と、各センサから送られる情報を基に擬似プローブの空間位置を演算し、記憶部から該擬似プローブの空間位置に対応する平面実画像データを読み出す演算部と、平面画像データを表示する表示部とを備える。これにより、初学者にとって、所定情報の読み取りを容易にし、超音波診断における平面画像の読み取り技術の習得も容易となるとしている。
【０００７】
一方、本出願人は、既に、実用新案登録第３１７２１２３号公報（特許文献５）に示すブック型動画再生機器を実用新案登録出願している。
【先行技術文献】
【特許文献】
【０００８】
【特許文献１】実用新案登録第２５８６８８２号公報
【特許文献２】特開平８−１９０３４１号公報
【特許文献３】特開２００７−１６００８８号公報
【特許文献４】特開２０１１−１４１４０２号公報
【特許文献５】実用新案登録第３１７２１２３号公報
【考案の概要】
【考案が解決しようとする課題】
【０００９】
ところで、近年、医療技術が年々進化して、多種多様な薬剤が登場するようになってきた。例えば、従来であれば、単なる飲み薬に対応するペレットが所定の病気治療のための薬剤であったものの、近年では、喉へ直接噴き掛ける霧吹き状の薬剤瓶が喘息防止のための薬剤となってきている。
【００１０】
このような薬剤の多様化に伴い、その処方（服用）方法も複雑化しているため、ユーザは、薬剤の受け取り時における医師や薬剤師の説明だけでは、十分に理解することが出来ないという問題がある。又、医師や薬剤師の説明は、通常、口頭であるため、前記薬剤が人体のどの患部に作用して効果を発揮するのかを十分に理解することが出来ないという問題がある。特に、ユーザが高齢者である場合には、そのような知識を一回聞いただけで理解することは難しいという問題がある。
【００１１】
一方、上述のような知識の理解を深めるためには、説明対象の模型を利用することが好ましいものの、前記特許文献１−４に記載の技術（発明、考案）では、上述した問題を解決することが出来ず、更に改良を要すると思われる。
【００１２】
そこで、本考案は、前記問題を解決するためになされたものであり、模型と動画を組み合わせることにより、ユーザに当該動画の内容への理解を容易に深めさせることが可能なブック型の動画再生装置を提供することを目的とする。
【課題を解決するための手段】
【００１３】
本考案者は、鋭意研究を重ねた結果、本考案に係る新規な動画再生装置を完成させた。
【００１４】
即ち、本考案に係る動画再生装置は、模型の所定の位置に配置された点灯部と、当該模型に関係する内容の動画を表示する表示部と、所定のキーとを備えたブック型の動画再生装置であって、以下の構成を採用する。
【００１５】
前記動画再生装置は、ユーザにより前記キーが押下されると、当該キーに予め設定された動画を前記表示部で再生する再生制御手段と、前記キーの押下に対応して、前記再生された動画の内容に関係する模型の所定の位置に配置された点灯部を点灯させる点灯制御手段とを備えることを特徴とする。
【００１６】
又、前記点灯制御手段は、前記押下されるキーの種類又は前記表示される動画の種類に応じて、前記点灯部の点灯形態を変更させるよう構成することが出来る。
【考案の効果】
【００１７】
本考案に係る動画再生装置では、模型と動画を組み合わせることにより、ユーザに当該動画の内容への理解を容易に深めさせることが可能となる。
【図面の簡単な説明】
【００１８】
【図１】本考案に係る閉状態のブック型の動画再生装置を示す概念図である。
【図２】本考案に係る開状態のブック型の動画再生装置を示す概念図である。
【図３】本考案の第一の実施形態に係る動画再生装置の機能ブロック図である。
【図４】本考案の第一の実施形態に係る動画再生装置の実行手順を示すためのフローチャートである。
【図５】本考案の第一の実施形態に係る動画再生装置と初期動画の一例を示す図である。
【図６】本考案の第一の実施形態に係る動画再生装置と第一の動画の一例を示す図である。
【図７】本考案の第一の実施形態に係る動画再生装置と第二の動画の一例を示す図である。
【図８】本考案の第一の実施形態に係る動画再生装置と第三の動画の一例を示す図である。
【図９】本考案の第二の実施形態に係る動画再生装置と第一の動画の一例を示す図である。
【図１０】本考案の第二の実施形態に係る動画再生装置と第二の動画の一例を示す図である。
【図１１】本考案の第二の実施形態に係る動画再生装置と第三の動画の一例を示す図である。
【図１２】本考案の他の実施形態に係る動画再生装置の一例を示す図である。
【考案を実施するための形態】
【００１９】
以下に、添付図面を参照して、本考案に係る動画再生装置の実施形態について説明し、本考案の理解に供する。尚、以下の実施形態は、本考案を具体化した一例であって、本考案の技術的範囲を限定する性格のものではない。
【００２０】
＜動画再生装置＞
本考案に係る動画再生装置１００は、図１、図２に示すように、ブック形状であり、様々な産業分野における商業用ビデオブックとして利用され、例えば、医療分野における疾患の説明、医療用医薬品の説明、医療用機器や器具の説明、旅行分野における各国の説明、教育分野における工場や自動車、飛行機、地球儀の説明、産業機器の説明、家電やオフィス用品の説明に用いられる。本考案に係る動画再生装置１００は、特に、商品の紹介や操作の説明等の宣伝用資料として使用されると好ましい。
【００２１】
ここで、本考案に係る動画再生装置１００は、ブック形状の本体部１０１（左部）と、当該本体部１０１の表面Ｓ１を覆うカバー部１０２（ブックカバー部、右部）とを備え、図１に示すように、前記カバー部１０２を前記本体部１０１の表面Ｓ１へ閉じると、全体としてブック形状となり、前記カバー部１０２を前記本体部１０１の表面Ｓ１から開くと、丁度、見開き状態となって、ユーザは、前記本体部１０１の表面Ｓ１と、前記カバー部１０２の前記本体部１０１の表面Ｓ１と対面する面Ｓ２とを同時に視認することが可能となる。
【００２２】
ここで、前記カバー部１０２は、その面Ｓ２を前記本体部１０１の表面Ｓ１に閉じた場合に、当該本体部１０１の表面Ｓ１との間に所定の間隔（空間）が生じるように構成されており、当該カバー部１０２の前記本体部１０１の表面Ｓ１と対面する面Ｓ２には、前記間隔に対応して、所定の厚みｔ（例えば、数ｍｍ−数十ｍｍ）を有する立体状又は平面状の模型１０３（図２の点線部）が設けられる。
【００２３】
前記模型１０３には、本考案に係る動画再生装置１００の利用分野に応じて様々な種類の模型が採用され、例えば、医療分野であれば、人を模した人体模型、人の一部（例えば、肺、胃、肝臓、腎臓等）を模した人体一部模型、薬剤を模した薬剤模型（錠剤見本）、薬剤の処方方法（例えば、服用方法等）を模した処方模型、旅行分野であれば、所定の国（例えば、米国、北欧、アジア、アフリカ、中東等）の山、川、海岸、海の凹凸を模した地形模型、教育分野であれば、工場や自動車等の構造物及び／又はその内部構造を模した構造物模型が採用される。
【００２４】
又、前記模型１０３には、当該模型１０３の種類に応じて、ユーザに特に視認して欲しい所定の位置に点灯部１０４（例えば、ＬＥＤ指示灯）が配置される。この点灯部１０４は、前記本体部１０１の内部の電子回路（図示せず）に電気的に接続されて、その点灯形態（例えば、点灯、消灯、点滅、色彩変更など）が、前記本体部１０１に設けられたキー１０５の押下により制御される。所定の点灯部１０４が点灯すれば、ユーザは、それに着目して、当該点灯部１０４が設けられた模型１０３の所定の位置に目線を向けることになる。
【００２５】
又、前記点灯部１０４の数は、前記模型１０３の種類、後述する動画の種類等に応じて適宜設計され、前記点灯部１０４の色は、同様に、前記模型１０３の種類、動画の種類等に応じて、例えば、赤色、緑色、青色、黄色等に設計される。
【００２６】
又、前記本体部１０１の表面Ｓ１には、上半分の部分に、前記模型１０３に関係する内容の動画（コンテンツ）を表示する表示部１０６（例えば、液晶パネル等）が設けられ、下半分の部分に、所定数（例えば、４つ）のキー１０５と、音を発声する音発生部１０７（例えば、スピーカー）とが設けられている。
【００２７】
前記表示部１０６に表示される動画は、前記本体部１０１の内部の記憶媒体（メモリー、図示せず）にデータ（ファイル）として予め記憶されており、所定のキー１０５の押下に対応して前記表示部１０６で再生される。ここで、前記キー１０５の押下により再生される動画は、上述のように、当該キー１０５の押下により点灯される点灯部１０４の配置位置、つまり、模型１０３の所定の位置に関係する内容とされる。又、前記動画に含まれる音、例えば、メッセージ、解説文、説明文等は、当該動画の再生に対応して、前記音発生部１０７から発声される。
【００２８】
又、前記動画は、例えば、前記本体部１０１の側面部１０１ａに予め設けられた通信部１０８（例えば、ＵＳＢ接続口１０８ａとＵＳＢケーブル１０８ｂ）を介して通信可能に接続される端末装置（例えば、パーソナルコンピュータ）から送信され、各キー１０５毎に対応して記憶される。
【００２９】
又、前記本体部１０１の側面部１０１ａには、前記通信部１０８の他に、イヤホンを接続するためのイヤホンジャック１０９と、前記音発生部１０７の音量を調整するためのデジタル式ダイヤル１１０と、コンセントからの電力供給をうけるＤＣ電源ソケット１１１が設けられる。前記本体部１０１の内部の電子回路に電力を供給する場合には、前記通信部１０８（ＵＳＢ接続）又はＤＣ電源ソケット１１１が利用される。
【００３０】
又、前記本体部１０１の内部には、前記点灯部１０４、前記表示部１０６、前記音発生部１０７、前記通信部１０８等を制御する電子回路として、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を内蔵しており、前記ＣＰＵは、例えば、前記キー１０５の押下に対応する所定の電気信号を受けて、前記ＲＡＭを作業領域として利用し、前記ＲＯＭ等に記憶されているプログラムを実行し、前記表示部１０６に動画を再生したり、前記音発生部１０７に音声を発声したり、前記模型１０３の所定の点灯部１０４を点灯したりする。又、必要に応じて、ＨＤＤ（Ｈａｒｄ  Ｄｉｓｋ  Ｄｒｉｖｅ）を内蔵しても構わない。更に、後述する図３に示す各手段についても、前記電子回路の各部が各手段を実現する。
【００３１】
＜本考案の第一の実施形態＞
次に、図３、図４を参照しながら、本考案の第一の実施形態に係る構成及び実行手順について説明する。図３は、本考案に係る動画再生装置１００の機能ブロック図である。又、図４は、本考案に係る動画再生装置１００の実行手順を示すためのフローチャートである。
【００３２】
本考案の第一の実施形態では、医療分野に適用した例を示し、前記模型１０３が、図５に示すように、所定の厚みを有する人骨全体を模した人骨模型１０３ａと、所定の厚みを有する肺を模した肺模型１０３ｂであり、当該肺模型１０３ｂの周辺には、肺の構造とその名称１０３ｃが表示されている。又、前記肺模型１０３ｂのうち、所定の病気（疾患、例えば、肺癌）や傷が生じる位置（患部）に所定の点灯部１０４が配置されている。前記点灯部１０４は、前記押下されるキー１０５の種類に応じて、赤色又は緑色に発光したり、点灯又は点滅したりするように構成されている。
【００３３】
さて、ユーザが、本考案に係る動画再生装置のカバー部１０２を開いて、見開き状態とし、前記動画再生装置１００の本体部１０１の電源を投入すると、当該本体部１０１の再生制御手段３０１が、複数の動画が予め記憶されている動画記憶手段３０２を参照し、予め設定された初期動画を読み出して、前記動画再生装置１００の表示部１０６に表示する。
【００３４】
前記初期動画５００は、例えば、図５に示すように、前記肺模型１０３ｂに対応して、肺の構造とその名称を示す動画である。これにより、ユーザは、前記肺模型１０３ｂを見ながら、肺の構造とその名称を視覚的に理解することが可能となる。尚、前記初期動画５００の表示に伴って、前記再生制御手段３０１が、当該初期画像５００に付加された音声（解説文、説明文等）を前記動画再生装置１００の音発生部１０７から発声して、前記肺の構造を説明しても良い。
【００３５】
次に、ユーザは、前記本体部１０１の中心近傍にある第一のキー１０５ａを押下すると、当該本体部１０１の再生制御手段３０１が、当該第一のキー１０５ａの押下を受け付けて（図４：Ｓ１０１ＹＥＳ）、前記動画記憶手段３０２の動画の中から、当該第一のキー１５０ａに予め関連付けられた第一の動画を読み出し、当該読み出した第一の動画を前記表示部１０６で再生する（図４：Ｓ１０２）。
【００３６】
ここで、前記第一の動画６００は、例えば、図６に示すように、肺癌になった肺の気管支近傍における癌細胞６０１が増殖することを説明する動画であり、当該第一の動画の再生に伴い、前記再生制御手段３０１が、前記癌細胞６０１の増殖を説明する説明文を前記音発生部１０７から発声させる。
【００３７】
更に、前記第一のキーの押下に対応して、点灯制御手段３０３は、前記再生された第一の動画６００の内容に関係する模型１０３の所定の位置に配置された点灯部１０４を点灯させる（図４：Ｓ１０３）。
【００３８】
ここで、前記点灯部１０４は、例えば、図６に示すように、前記肺模型１０３ｂにおける肺と気管との間で肺癌（癌細胞）が発生する位置に設けられ、現時点では、警告を示す赤色に点滅する。
【００３９】
これにより、ユーザは、肺癌の動画６００を眺めながら、点灯する点灯部１０４に着目して、肺模型１０３ｂにおける肺癌が発生する位置を確認することが可能となるため、肺癌への理解を深めることが可能となる。
【００４０】
ここで、前記再生制御手段３０１が前記第一の動画６００を再生している最中では（図４：Ｓ１０４ＮＯ）、前記点灯制御手段３０３は、前記点灯部１０４を継続して点灯させる。
【００４１】
さて、前記再生制御手段３０１が、前記第一の動画６００の再生を終了すると（図４：Ｓ１０４ＹＥＳ）、その旨を前記点灯制御手段３０３に通知し、当該通知を受けた点灯制御手段３０３は、前記点灯していた点灯部１０４を消灯させる（図４：Ｓ１０５）。これにより、前記第一のキー１０５ａの押下による第一の動画６００の再生と、前記点灯部１０４の点灯（点滅）が終了する。
【００４２】
次に、ユーザが、前記第一のキー１０５ａの直下に設けられた第二のキー１０５ｂを押下すると（図４：Ｓ１０１ＹＥＳ）、上述と同様に、前記再生制御手段３０１が、当該第二のキー１０５ｂに予め関連付けられた第二の動画を前記表示部１０６で再生し（図４：Ｓ１０２）、前記点灯制御手段３０３が、前記第二のキー１０５ｂの押下に対応して、前記再生された第二の動画の内容に関係する模型１０３の点灯部１０４を点灯させる（図４：Ｓ１０３）。
【００４３】
ここで、前記第二の動画７００は、例えば、図７に示すように、ユーザが抗癌剤を服用した場合に当該抗癌剤が患部に作用して、当該患部の癌細胞７０１が減少することを説明する動画であり、前記点灯部１０４は、前記第一の動画６００の再生とともに点灯した点灯部１０４と同様であるものの、未だ完治していないことを示す赤色に点灯する。尚、前記音発生部１０７からは、前記第二の動画７００に付加された抗癌剤の服用方法、作用効果、癌細胞の減少を説明する説明文が発声される。
【００４４】
これにより、ユーザは、前記第二の動画７００と前記肺模型１０３ｂの患部に位置する点灯部１０４を見ながら、前記抗癌剤がどの患部に作用して効果を発揮するのかを十分に理解することが可能となる。特に、ユーザが高齢者である場合には、動画７００と模型１０３との組み合わせは、上述した知識を吸収するのに大いに役立つ。
【００４５】
又、前記第二の動画７００の再生と、前記点灯部１０４の点灯が終了した後に（図４：Ｓ１０４ＹＥＳ→Ｓ１０５）、更に、ユーザが、前記第二のキー１０５ｂの直下に設けられた第三のキー１０５ｃを押下すれば（図４：Ｓ１０１ＹＥＳ）、上述と同様に、前記再生制御手段３０１が、当該第三のキー１０５ｃに予め関連付けられた第三の動画を前記表示部１０６で再生し（図４：Ｓ１０２）、前記点灯制御手段３０３が、前記第三のキー１０５ｃの押下に対応して、前記再生された第三の動画の内容に関係する模型１０３の点灯部１０４を点灯させる（図４：Ｓ１０３）。
【００４６】
ここで、前記第三の動画８００は、例えば、図８に示すように、ユーザが抗癌剤を所定期間服用したことにより、前記患部８０１の癌細胞が殆ど死滅することを説明する動画であり、前記点灯部１０４は、前記第一の動画６００の再生とともに点灯した点灯部１０４と同様であるものの、前記癌細胞の死滅により肺が健全な状態であることを示す緑色に点灯する。尚、前記音発生部１０７からは、上記と同様に、前記第三の動画８００に付加された抗癌剤の服用期間、作用効果、癌細胞の死滅、健全な肺の状態を説明する説明文が発声される。
【００４７】
これにより、ユーザは、前記第三の動画８００と前記点灯部１０４の色とを確認しながら、前記抗癌剤の作用効果や健全な状態の肺を視聴覚的に十分に理解することが可能となる。
【００４８】
又、ユーザが、一連のキー１０５、例えば、前記第一のキー１０５ａから第三のキー１０５ｃまでを順番に押下することで、肺癌の説明から、抗癌剤の説明、服用の作用効果までの一連の動画６００、７００、８００を確認することが可能となり、肺癌に関する知識についての理解を十分に深めることが可能となる。
【００４９】
又、前記一連の動画６００、７００、８００が長時間に渡る場合では、当該一連の動画６００、７００、８００を各キー１０５ａ、１５０ｂ、１５０ｃ毎に区分することで、ユーザは、確認を所望する動画６００、７００、８００のみを所定のキー１０５の押下により確認することが可能となり、利便性を向上させることが可能となる。
【００５０】
更に、本考案に係る動画再生装置１００は、ブック形状であるため、持ち運びが容易であり、病気や薬剤の紹介や薬剤の処方方法の説明等には好適である。
【００５１】
尚、第一の実施形態では、前記点灯制御手段３０３が、一の点灯部１０４を用いて、その点灯形態を、前記動画６００、７００、８００の内容、種類、前記キーの種類に応じて、赤色点滅、赤色点灯、緑色点灯に変更して（切り替えて）、ユーザの着目度に強弱を与えるように構成したが、他の構成でも構わない。
【００５２】
例えば、肺模型１０３ｂの血流の経路や抗癌剤の吸収経路に、複数の点灯部１０４を配置させて、それらの点灯部１０４の点灯と消灯を所定の周期で繰り返すことで、当該点灯部１０４の点灯形態を、血流が流れるような点灯形態や抗癌剤が吸収されるような点灯形態に変更しても構わない。当該構成とすると、肺癌の進展や薬剤の効用を視覚的に容易に理解することが可能となり、更に、ユーザに、知識の理解を容易に深めさせることが可能となる。もちろん、前記模型１０３は、前記肺模型１０３ｂに限る必要は無く、例えば、胃模型、肝臓模型、腎臓模型、大腸模型、小腸模型等、多岐に渡るように構成出来る。
【００５３】
又、前記模型１０３として、人骨模型１０３ａと肺模型１０３ｂとを採用したが、更に、抗癌剤を模した薬剤模型や当該抗癌剤を服用する場合の服用方法を模した服用模型等を適宜追加するよう構成しても構わない。当該構成とすると、ユーザは、更に、抗癌剤の形態や服用方法についての知識を簡単に吸収することが可能となる。
【００５４】
＜本考案の第二の実施形態＞
次に、本考案の第二の実施形態に係る構成及び実行手順について説明する。本考案の第二の実施形態では、旅行分野に適用した例を示し、前記模型１０３が、図９に示すように、世界の国のうち、例えば、ヨーロッパ（北欧）の各国における山、川、海岸、海の凹凸を模した地形模型１０３であり、当該地形模型１０３のうち、フィンランドのコッコラ（主要都市）の位置に第一の点灯部１０４ａ、ロシアのモスクワ（主要都市）の位置に第二の点灯部１０４ｂ、ポーランドのポズナン（主要都市）の位置に第三の点灯部１０４ｃがそれぞれ設けられている。各点灯部１０４ａ、１０４ｂ、１０４ｃは、赤色に発光するよう構成されている。
【００５５】
尚、本考案の第二の実施形態に係る構成及び実行手順は、第一の実施形態に係る構成及び実行手順と同様であるため、第一の実施形態の説明で用いた図面（図３、図４）も適宜参照しながら、第二の実施形態について説明する。
【００５６】
先ず、ユーザが、本考案に係る動画再生装置１００を見開き状態にして、電源を投入し、前記本体部１０１の第一のキー１０５ａを押下すると、当該本体部１０１の再生制御手段３０１が、当該第一のキー１０５ａの押下を受け付けて（図４：Ｓ１０１ＹＥＳ）、前記動画記憶手段３０２から、当該第一のキー１０５ａに予め関連付けられた第一の動画を前記表示部１０６で再生し（図４：Ｓ１０２）、前記点灯制御手段３０３が、前記第一のキー１０５ａの押下に対応して、前記再生された第一の動画の内容に関係する地形模型１０３の第一の点灯部１０４ａを点灯させる（図４：Ｓ１０３）。
【００５７】
ここで、前記第一の動画９００は、例えば、図９に示すように、フィンランドのコッコラにおける会社や建物、ビル街の風景９００ａと、それが位置するコッコラ周辺の拡大地図９００ｂであり、前記第一の動画９００の内容に対応して、前記地形模型１０３におけるフィンランドのコッコラの位置に設けられた第一の点灯部１０４ａは、赤色に点灯する。又、前記音発生部１０７からは、前記第一の動画９００に付加されたフィンランドのコッコラの会社や建物、ビル街等を説明する説明文が発声される。
【００５８】
これにより、ユーザは、フィンランドの動画９００を眺めながら、前記第一の点灯部１０４ａを介して、前記地形模型１０３におけるフィンランドのコッコラの位置を確認して、ヨーロッパにおけるフィンランドへの理解を深めることが可能となる。
【００５９】
ここで、前記第一の動画９００の再生と、前記第一の点灯部１０４ａの点灯が終了した後に（図４：Ｓ１０４ＹＥＳ→Ｓ１０５）、ユーザが、前記第二のキー１０５ｂを押下すると（図４：Ｓ１０１ＹＥＳ）、上述と同様に、前記再生制御手段３０１が、当該第二のキー１０５ｂに予め関連付けられた第二の動画を前記表示部１０６で再生し（図４：Ｓ１０２）、前記点灯制御手段３０３が、前記第二のキー１０５ｂの押下に対応して、前記再生された第二の動画の内容に関係する地形模型１０３の第二の点灯部１０４ｂを点灯させる（図４：Ｓ１０３）。
【００６０】
ここで、前記第二の動画１０００は、例えば、図１０に示すように、ロシアのモスクワにおける町並みや路地の写真１０００ａと、それらが位置するモスクワ周辺の拡大地図１０００ｂであり、前記第二の動画１０００の内容に対応して、前記地形模型１０３におけるロシアのモスクワの位置に設けられた第二の点灯部１０４ｂは、赤色に点灯する。又、前記音発生部１０７からは、上記と同様に、前記第二の動画１０００に付加されたロシアのモスクワの町並みや路地等を説明する説明文が発声される。
【００６１】
又、前記第二の動画１０００の再生と、前記第二の点灯部１０４ｂの点灯が終了した後に（図４：Ｓ１０４ＹＥＳ→Ｓ１０５）、ユーザが、前記第三のキー１０５ｃを押下すると（図４：Ｓ１０１ＹＥＳ）、上述と同様に、前記再生制御手段３０１が、当該第三のキー１０５ｃに予め関連付けられた第三の動画を前記表示部１０６で再生し（図４：Ｓ１０２）、前記点灯制御手段３０３が、前記第三のキー１０５ｃの押下に対応して、前記再生された第三の動画の内容に関係する地形模型１０３の第三の点灯部１０４ｃを点灯させる（図４：Ｓ１０３）。
【００６２】
ここで、前記第三の動画１１００は、例えば、図１１に示すように、ポーランドのポズナンにおける川の畔の建物や神殿の風景１１００ａと、それが位置するポズナン周辺の拡大地図１１００ｂであり、前記第三の動画１１００の内容に対応して、前記地形模型１０３におけるポーランドのポズナンの位置に設けられた第三の点灯部１０４ｃは、赤色に点灯する。又、前記音発生部１０７からは、前記第三の動画１１００に付加されたポーランドのポズナンにおける川の畔の建物や神殿等を説明する説明文が発声される。
【００６３】
このように、ユーザは、前記第一のキー１０５ａから第三のキー１０５ｃまでを順番に押下することで、ヨーロッパにおけるフィンランド、ロシア、ポーランドに関する知識の理解を簡単に深めることが可能となる。
【００６４】
このように、本考案に係る動画再生装置１００は、模型１０３の所定の位置に配置された点灯部１０４と、当該模型１０３に関係する内容の動画を表示する表示部１０６と、所定のキー１０５とを備えたブック型の動画再生装置１００であって、ユーザにより前記キー１０５が押下されると、当該キー１０５に予め関連付けられた動画を前記表示部１０６で再生する再生制御手段３０１と、前記キー１０５の押下に対応して、前記再生された動画の内容に関係する模型１０３の所定の位置に配置された点灯部１０４を点灯させる点灯制御手段３０３とを備えることを特徴とする。
【００６５】
これにより、ユーザが所定のキー１０５を押下すると、当該キー１０５に対応する動画を眺めながら、当該キー１０５に対応する点灯する点灯部１０４を視認して、当該動画の内容に関係する模型１０３の所定の位置を把握することが可能となり、ユーザに当該動画の内容への理解を容易に深めさせることが可能となる。
【００６６】
尚、本考案の第一の実施形態及び第二の実施形態では、ブック形状の本体部１０１と、当該本体部１０１の表面Ｓ１を覆うカバー部１０２とを備え、当該カバー部１０２の前記本体部１０１の表面Ｓ１と対面する面Ｓ２に、所定の厚みｔを有する模型１０３を設けるよう構成したが、本考案は、ブック形状であれば、どのような構成でも構わない。
【００６７】
又、本考案の第一の実施形態及び第二の実施形態では、前記再生される動画が終了した後に、前記再生制御手段３０１が、新たなキー１０５の押下を受け付けて、当該キー１０５の押下に対応した新たな動画を再生し、前記点灯制御手段３０３が、当該キー１０５の押下に対応した模型１０３における新たな位置の点灯部１０４を点灯させるよう構成したが、他の構成でも構わない。
【００６８】
例えば、前記再生制御手段３０１が、所定のキー１０５に対応する動画を再生している最中に、ユーザが、他のキー１０５を押下すると、前記再生制御手段３０１が、前記再生中の動画を中止して、前記他のキー１０５に対応する他の動画の再生を開始し、前記点灯制御手段３０３が、先ほど再生していた動画に対応する点灯部１０４の点灯を消灯して、前記他のキー１０５に対応する他の点灯部１０４の点灯を開始するよう構成しても構わない。
【００６９】
又、本考案の第一の実施形態及び第二の実施形態では、前記再生制御手段３０１が、各キー１０５毎に対応する動画を再生し、前記点灯制御手段３０３が、各キー１０５毎に対応する点灯部１０４を点灯するよう構成したが、他の構成でも構わない。
【００７０】
例えば、前記本体部１０１に、動画再生用のキー１０５を一つ設けて、当該キー１０５が押下されると、前記再生制御手段３０１が、当該キー１０５の押下に対応して、予め所定の順番で記憶された複数の動画を当該順番で順次再生するとともに、前記点灯制御手段３０３が、前記模型１０３のうち、所定数の位置にそれぞれ配置された複数の点灯部１０４を、前記再生される動画の順番（内容）に対応して、順次点灯したり消灯したりするよう構成しても構わない。当該構成により、ユーザのキー操作が非常に簡便になる。
【００７１】
又、本考案の第一の実施形態及び第二の実施形態では、特に、表示部１０６の動画再生や点灯部１０４の点灯を停止させるためのストップキーを設けていないが、必要に応じて、当該ストップキーを設けても構わない。
【００７２】
又、本考案の第一の実施形態及び第二の実施形態では、前記カバー部１０２の面Ｓ２から、所定の厚みの模型１０３を突出するように構成したが、他の構成でも構わない。
【００７３】
例えば、図１２に示すように、前記カバー部１０２に所定の厚みを持たせて、当該カバー部１０２の内部を所定の形状（例えば、胃の形状）に切り抜き、当該切り抜き部に、胃を模した胃模型１０３を配置する（嵌める）よう構成しても構わない。ここで、前記胃模型１０３の病気が生じる幹部には、所定数の点灯部１０４が配置され、所定のキー１０５が押下されると、前記表示部１０６に胃癌に関係する動画が再生されるとともに、前記胃模型１０３の患部に位置する点灯部１０４が点灯することになる。このように構成して、より立体感を出すように構成しても構わない。
【００７４】
又、本考案の第一の実施形態及び第二の実施形態に、前記本体部１０１の表面Ｓ１の所定の位置にセンサ（例えば、磁力センサ）を設けて、前記本体部１０１に前記カバー部１０２が閉じた場合に、前記センサが当該カバー部１０２の閉状態を検知して、前記表示部１０６に再生された動画の再生を停止したり、前記本体部１０１から前記カバー部１０２が開いた場合に、前記センサが当該カバー部１０２の開状態を検知して、前記表示部１０６への動画再生を再開したりする構成としても良い。
【００７５】
又、本考案の第一の実施形態及び第二の実施形態に、コンセントから電力供給を受ける充電スタントを附属させて、動画再生装置１００がその充電スタンドに配置された場合に、当該動画再生装置１００が前記充電スタンドから電力を受けるよう構成しても良い。その際、前記動画再生装置１００と充電スタンドとの接点部には、電極接点と電極バネとがそれぞれ設けられる。
【００７６】
又、本考案は、例えば、模型１０３の所定の位置に配置された点灯部１０４と、当該模型１０３に関係する内容の動画を表示する表示部１０６と、所定のキー１０５とを備えたブック型の動画再生装置１００の動画再生方法として提供することが出来る。即ち、前記動画再生方法は、ユーザにより前記キー１０５が押下されると、当該キー１０５に予め関連付けられた動画を前記表示部１０６で再生するステップと、前記キー１０５の押下に対応して、前記再生された動画の内容に関係する模型１０３の所定の位置に配置された点灯部１０４を点灯させるステップとを備えることを特徴とする。当該構成としても、上述の動画再生装置１００と同様の効果を得ることが可能となる。
【００７７】
又、本考案の実施形態では、動画再生装置１００が各手段を備えるよう構成したが、当該各手段を実現するプログラムを記憶媒体に記憶させ、当該記憶媒体を提供するよう構成しても構わない。当該構成では、前記プログラムを動画再生装置１００に読み出させ、当該動画再生装置１００が前記各手段を実現する。その場合、前記記録媒体から読み出されたプログラム自体が本考案の作用効果を奏する。さらに、各手段が実行するステップをハードディスクに記憶させる方法として提供することも可能である。
【産業上の利用可能性】
【００７８】
以上のように、本考案に係る動画再生装置は、医療分野、旅行分野はもちろん、産業分野における商業用ビデオブック等に有用であり、模型と動画を組み合わせることにより、ユーザに当該動画の内容への理解を容易に深めさせることが可能なブック型の動画再生装置として有効である。
【符号の説明】
【００７９】
１００  ブック型の動画再生装置
１０１  本体部
１０２  カバー部
１０３  模型
１０４  点灯部
１０５  キー
１０６  表示部
１０７  音発生部
１０８  通信部
１０９  イヤホンジャック
１１０  デジタル式ダイヤル
１１１  ＤＣ電源ソケット
３０１  再生制御手段
３０２  動画記憶手段
３０３  点灯制御手段
【図１】
0003178367.tif 000003
【図２】
0003178367.tif 000004
【図３】
0003178367.tif 000005
【図４】
0003178367.tif 000006
【図５】
0003178367.tif 000007
【図６】
0003178367.tif 000008
【図７】
0003178367.tif 000009
【図８】
0003178367.tif 000010
【図９】
0003178367.tif 000011
【図１０】
0003178367.tif 000012
【図１１】
0003178367.tif 000013
【図１２】
0003178367.tif 000014